(57)【要約】【課題】浴室暖房機本体と、この本体の側面に取り付けられ、浴室を含む複数室の換気をする箱体状の換気装置とを備えた浴室暖房機において、換気装置へ接続されるダクトの配設作業を容易にするとともに換気能力の低下を防ぐ。【解決手段】浴室暖房機本体２と、この本体２の側面に取り付けられ、浴室を含む複数室の換気をする箱体状の換気装置３とを備えた浴室暖房機１において、前記換気装置３は本体２への取付用側板６ａに本体２との連通口７を有し、この取付用側板６ａに直交する一方の側板６ｂのに吸気口８、９、他方の側板６ｃに排気口１０を設け、取付用側板６ａとこの側板６ａに対向する側板６ｄとを付け替え可能に設ける。【選択図】　　　図２
2004125255.tif 000002
【特許請求の範囲】
【請求項１】
浴室暖房機本体と、この本体の側面に取り付けられ、浴室を含む複数室の換気をする箱体状の換気装置とを備えた浴室暖房機において、
前記換気装置は本体への取付用側板に本体との連通口を有し、この取付用側板に直交する一方の側板に吸気口、他方の側板に排気口を設け、取付用側板とこの側板に対向する側板とを付け替え可能に設けることを特徴とする浴室暖房機。
【請求項２】
前記取付用側板に、連通口を開閉するダンパと、このダンパを駆動するダンパモータと、このダンパモータの配線とを設けることを特徴とする請求項１に記載の浴室暖房機。
【発明の詳細な説明】
【０００１】
【発明の属する技術分野】
本発明は、浴室の天井裏等に設置して浴室内の暖房を行う浴室暖房機本体と、この浴室暖房機本体に取り付けて浴室を含む脱衣室及びトイレ等の複数室の換気
をすることができる換気装置とを備えた浴室暖房機に関する。
【０００２】
【従来の技術】
従来、浴室の天井裏等に設置して浴室内の暖房及び換気をする浴室暖房機本体（以下本体という）と、この浴室暖房機本体の側面に取り付けて脱衣室及びトイレの換気を行う換気装置とが開示されている。（例えば、特許文献１参照。）。
【０００３】
前記本体は、箱体状の本体ケースを有し、この本体ケース内に外部の熱源機等から温水の供給される熱交換器と、浴室内から空気を吸い込み熱交換器を介して熱交換された空気を浴室内に吹き出す温風ファンと、浴室内の空気を換気する換気ファンとを備え、本体ケースの側板に浴室換気用の通気口が設けられている。また、本体ケースの底面には吸込口及び吹出口を有する吸込グリルが取り付けられている。
【０００４】
前記換気装置は箱体状のケース内に通風路を形成し、この通風路内に換気ファンを設け、本体への取付用側板に本体通気口へ連通する連通口を設け、この取付用側板に直交する一方の側板に脱衣室及びトイレ用の２つの吸気口を設け、他方の側板に排気口を設けている。２つの吸気口には各室に連通する吸気ダクトが接続され、排気口には壁穴を通して屋外に連通する排気ダクトが接続されている。
【０００５】
そして、浴室換気用ファンと別室換気用ファンとを作動することにより浴室の換気を行うことができ、別室換気用ファンのみを作動することにより脱衣室及びトイレの換気を行うことができる。
【０００６】
【特許文献１】
特開平９ー２４３１２７号公報
【０００７】
【発明が解決しようとする課題】
ところで、前述した浴室暖房機は、浴室及び脱衣室の位置関係により、本体と換気装置との配置が決められるため、換気装置の排気口の位置が屋外に通じる壁穴に対して反対向きになることがあり、排気ダクトを曲線部の多い曲がりくねった配置にしなければならなかった。このため、ダクトの配置が難しくなり作業が煩雑になるとともに換気能力を低下させるという問題があった。
【０００８】
本発明は上述のような従来の事情に鑑みなされものであり、浴室暖房機本体と、この本体の側面に取り付けられ、浴室を含む複数室の換気をする箱体状の換気装置とを備えた浴室暖房機において、換気装置へ接続されるダクトの配設作業を容易にするとともに換気能力の低下を防ぐことを目的とする。
【０００９】
【課題を解決するための手段】
上記目的を達成するために、請求項１記載の発明は、浴室暖房機本体と、この本体の側面に取り付けられ、浴室を含む複数室の換気をする箱体状の換気装置とを備えた浴室暖房機において、前記換気装置は本体への取付用側板に本体との連通口を有し、この取付用側板に直交する一方の側板に吸気口、他方の側板に排気口を設け、取付用側板とこの側板に対向する側板とを付け替え可能に設けることを特徴とする。
【００１０】
請求項２に記載の発明は、請求項１に記載の浴室暖房機において、前記取付用側板に、連通口を開閉するダンパと、このダンパを駆動するダンパモータと、このダンパモータの配線とを設けることを特徴とする。
【００１１】
【発明の実施の形態】
以下、本発明の一実施形態を図面に基づいて説明する。図１は本発明の一実施形態における浴室暖房機の設置構成図、図２は図１の浴室暖房機を上から見た図である。
【００１２】
図１、図２において、浴室暖房機１は、浴室Ａの天井裏Ｂ等に設置される浴室暖房機本体（以下本体という）２及びこの本体の側面へ取り付けられる換気装置３と、前記本体２に温水等の熱媒を供給する熱源機４とを備え、本体２と熱源機４とが温水配管５にて接続されている。換気装置３の各側板には、本体内へ連通する連通口７、脱衣室用吸気口８、トイレ用吸気口９及び排気口１０が設けられ、連通口７は本体２を介して浴室Ａへ連通し、脱衣室用吸気口８及びトイレ用吸気口９は、それぞれ吸気ダクト１５、１７を介して脱衣室Ｃ及びトイレＤへ連通し、排気口１０は排気ダクト１８を介して屋外に連通している。前記ダクト１５、１７、１８は、浴室Ａ、脱衣室Ｃ及びトイレＤの天井裏Ｂに配設されている。また、浴室暖房機１には本体２及び換気装置３を操作するためのリモコン２１が設けられ、リモコン２１及び本体２間、並びに本体２及び熱源機３間が信号線２２にて接続されている。
【００１３】
なお、換気装置３近傍の天井板には浴室暖房機１の設置及び点検等を行うための点検口２３が設けられている。
【００１４】
前記本体２は箱体状の本体ケース２Ａを有し、この本体ケース２Ａの側面に設けられた４つの吊下げ具２４、２４・・に４本の吊りボルト２５、２５・・にて吊り下げられ、浴室Ａの天井に設けられた天井開口部の裏側に設置される。この本体２の底面には、天井開口部を塞ぐように天井面に設けられ、吸込口と吹出口（図示せず）を有する吸込グリル２６がねじ止め固定される。本体ケース２Ａ内には外部の熱源機４から温水の供給される熱交換器（図示せず）と、浴室Ａ内から空気を吸い込みこの熱交換器を介して熱交換された空気を浴室Ａ内に吹き出す温風ファン（図示せず）と、浴室Ａ内の空気を換気する浴室換気用ファン３１と、浴室暖房機１の電気部品を制御する制御装置３２とを備え、本体２の一側板３３には浴室換気用の通気口３４が設けられ、この通気口３４は吸込グリル２６の吸込口に連通している。
【００１５】
前記換気装置３は箱体状の換気ケース６を有し、この換気ケース６の本体へ取り付ける取付用側板６ａに本体の通気口３４へ連通する前記連通口７が形成され、この取付用側板６ａに直交する一方の側板６ｂに前記２つの吸気口８、９が形成され、他方の側板６ｃに前記排気口１０が形成されている。換気ケース６には通風路が形成されて通風路内に換気ファン３５が設けられ、この通風路は前記吸気口８、９及び排気口１０に連通している。
【００１６】
図３は換気装置の本体取付用側板を内側から見た斜視図である。取付用側板６ａには、下部に３ヵ所の爪４１、４１と上部に３ヵ所のねじ孔４２、４２・・が形成され、３ヵ所の爪４１、４１が換気ケース６の底板に設けられた孔（図示せず）に係止され、３ヵ所のねじ孔４２、４２・・部分が直交する側板６ｂ、６ｃの側縁及び天板の側縁に設けられたねじ固定部（図示せず）に取付ねじにて固定され、これにより取付用側板６ａが換気ケース６として着脱可能に取り付けられる。取付用側板６ａの内面には、前記連通口７の窓枠７ｗと、この窓枠７ｗの内側に設けられ連通口７を開放遮断する開閉ダンパ４３と、この開閉ダンパ４３を駆動するダンパモータ４３Ｍと、このモータ４３Ｍの配線４３ｓとが固定されている。この配線４３ｓは取付用側板６ａの縁に設けられたリブの切欠き部４５から外に引き出され、前記本体２の制御装置３２にコネクタを介して着脱自在に接続される。なお、ダンパモータ４３Ｍはリモコン２１（図１参照）の操作に基づいて制御装置３２で制御される。
【００１７】
図４は換気装置の本体取付用側板に対向する側板を内側から見た斜視図である。前記取付用側板６ａに対向する側板６ｄには、取付用側板６ａと同じ位置に、下部に３ヵ所の爪４１、４１と上部に３ヵ所のねじ孔４２、４２・・が形成され、３ヵ所の爪４１、４１が換気ケース６の底板に設けられた孔（図示せず）に係止され、３ヵ所のねじ孔４２、４２・・部分が直交する側板６ｂ、６ｃの側縁及び天板の側縁に設けられたねじ固定部（図示せず）に取付ねじにて固定され、これにより取付用側板６ａが換気ケース６に着脱可能に取り付けられる。
【００１８】
ここで、前記本体取付用側板６ａとこの側板６ａに対向する側板６ｄは、それぞれ３本の取付ねじと３ヵ所の爪４１、４１とで換気ケース６として固定され、開閉ダンパ４３、ダンパモータ４３Ｍ及び配線４３ｓが本体取付用側板６ａに固定され、かつ配線４３ｓが制御装置３２に着脱自在に接続されているので、両側板６ａ、６ｄは容易に付け替えることができる。
【００１９】
図５は本体取付用側板とこの側板に対向する側板を付け替えた後、換気装置を浴室暖房機本体に取り付けた状態を示す平面図である。前記両側板６ａ、６ｄを付け替えて取り付けることにより、図２で示す換気装置３と比較すると、本体２に対して吸気口８、９と排気口１０とが１８０度反転した位置に設けられ、これら吸気口８、９と排気口１０に接続され配設されるダクト１５、１７、１８の引き出し方向を変更することができる。
【００２０】
これによりダクト１５、１７、１８の配設が容易になるとともに、ダクト１５、１７、１８の曲線部が少なくなり、ダクト１５、１７、１８内の空気が通り易くなって換気能力の低下を防ぐことができる。
【００２１】
以上、一実施形態に基づいて本発明を説明したが、本発明はこれに限定されるものではない。
【００２２】
【発明の効果】
以上説明したように、本発明の浴室暖房機は、浴室暖房機本体の側面に取り付ける換気装置の本体取付用側板とこの側板に対向する側板とを付け替え可能に設けたことにより、本体取付用側板に直交する側板の一方に設けられた吸気口と、他方に設けられた排気口とを１８０度反転した位置にすることができ、これら吸気口及び排気口に接続されるダクトの配設を容易にし作業の効率化を図ることができる。
【００２３】
また、ダクトの曲線部が少なくなるので、ダクト内の空気の流通を良くし換気能力の低下を防ぐことができる。
【図面の簡単な説明】
【図１】本発明の一実施形態における浴室暖房機の設置構成図である。
【図２】図１の浴室暖房機を上から見た図である。
【図３】換気装置の本体取付用側板を内側から見た斜視図である。
【図４】換気装置の本体取付用側板に対向する側板を内側から見た斜視図である。
【図５】本体取付用側板とこの側板に対向する側板を付け替えた後、換気装置を浴室暖房機本体に取り付けた状態を示す平面図である。
【符号の説明】
１　浴室暖房機
２　浴室暖房機本体
３　換気装置
４　熱源機
６ａ　本体取付用側板
６ｂ、６ｃ　側板
６ｄ　本体取付用側板に対向する側板
７　連通口
８　脱衣室用吸気口
９　トイレ用吸気口
１０　排気口
１５、１７　吸気ダクト
１８　排気ダクト
３２　制御装置
３３　本体側板
３４　通気口
４１　爪
４２　ねじ孔
４３　開閉ダンパ
４３Ｍ　ダンパモータ
４３ｓ　配線
Ａ　浴室
Ｂ　天井裏
Ｃ　脱衣室
Ｄ　トイレ
【図１】
2004125255.tif 000003
【図２】
2004125255.tif 000004
【図３】
2004125255.tif 000005
【図４】
2004125255.tif 000006
【図５】
2004125255.tif 000007